(57)【特許請求の範囲】
【請求項１】
左右の支柱の前後に、パネルを架設した間仕切装置において、
前後のパネルの左右方向の適所に、両パネルの内方への移動を阻止するスペーサ部と、両パネルの外方への移動を阻止する拡幅阻止部とを備える間隔保持部材を架設し、前記スペーサ部を、上方または下方に開口する側面視上向きまたは下向きコ字状とし、さらに、前記拡幅阻止部を、前記スペーサ部の前後の端部に連設され、かつ両パネルの前後の対向面に設けた左右方向に長い長孔の互いに異なる左右の縁に係合するようにした、左右の互いに異なる方向を向くフックとしたことを特徴とする間仕切装置。
【請求項２】
間隔保持部材を両パネルに架設したときのスペーサ部におけるパネルと平行な方向の長さを、両パネルの間隔より小とし、かつ前記パネルと直交する方向のスペーサ部の長さを、両パネルの間隔とほぼ同一とすることにより、前記間隔保持部材を、長手方向をパネルと同方向に向けて、両パネル間に嵌合し、次いで、垂直軸線回りにほぼ９０度回転させて、両フックを両パネルの長孔の左右の縁に係合可能としたことを特徴とする請求項１記載の間仕切装置。
【請求項３】
左右の支柱の前後に、複数のパネルを上下多段状に架設し、下段の前後のパネルの上部における左右方向の適所間に、間隔保持部材を架設し、かつ前記間隔保持部材におけるスペーサ部に、下段の前後のパネルより上方に突出する上部が、下段の前後のパネルの上方に配設した上段の前後のパネル間に嵌合するようにした補助部材を跨嵌したことを特徴とする請求項１または２記載の間仕切装置。
【請求項４】
補助部材を、水平片の前後の端部に垂下片を設けた側面視下向きコ字状とし、かつ前記両垂下片の下端中央部に、間隔保持部材が嵌合するようにした切欠きを設け、両垂下片が、下段の前後のパネルの背面と、上段の前後のパネルの背面とに当接するようにしたことを特徴とする請求項３記載の間仕切装置。
【請求項５】
上段の前後のパネルの下端に、下段の前後のパネルの上端部背面に係合する下向き突片を設けたことを特徴とする請求項３または４記載の間仕切装置。
【発明の詳細な説明】
【技術分野】
【０００１】
本発明は、オフィス等の室内を仕切るための間仕切装置に関する。
【背景技術】
【０００２】
従来、この種の間仕切装置は、左右の支柱同士を上下部連結材や、中間連結材をもって連結するとともに、支柱の前後面に、前後１対のパネルを架設して形成してる(例えば、特許文献１参照)。
【０００３】
しかし、コストダウンのために、下部連結材や中間連結材を省略した間仕切装置が提案されている。この間仕切装置は、左右の支柱に取り付けたブラケットのフック部に、パネルの背面両側部に設けた係止孔を係止することにより、パネルを支柱間に架設している。
【０００４】
【特許文献１】特開２００７−１６５２５号公報
【発明の開示】
【発明が解決しようとする課題】
【０００５】
しかし、上記構造によれば、パネルの背面が連結材で支持されていないため、柱間におけるパネルの中央部が前後方向に湾曲し易く、複数のパネルを支柱の前後に多段状に配設する場合には、上下のパネルの接合部分に段差が生じ易い。また、地震などの振動や衝撃により、パネルがフックから脱落するおそれもある。
【０００６】
本発明は、従来の技術が有する上記のような問題点に鑑み、簡単な構成を付加するだけで、パネルの湾曲や支柱からの脱落を防止できるようにした間仕切装置を提供することを目的としている。
【課題を解決するための手段】
【０００７】
本発明によると、上記課題は次のようにして解決される。
（１）左右の支柱の前後に、パネルを架設した間仕切装置において、前後のパネルの左右方向の適所に、両パネルの内方への移動を阻止するスペーサ部と、両パネルの外方への移動を阻止する拡幅阻止部とを備える間隔保持部材を架設する。
【０００８】
（２）上記(１)項において、スペーサ部を、上方または下方に開口する側面視上向きまたは下向きコ字状とする。
【０００９】
（３）上記(１)または(２)項において、拡幅阻止部を、スペーサ部の前後の端部に連設され、かつ両パネルの前後の対向面に設けた左右方向に長い長孔の互いに異なる左右の縁に係合するようにした、左右の互いに異なる方向を向くフックとする。
【００１０】
（４）上記(３)項において、間隔保持部材を両パネルに架設したときのスペーサ部におけるパネルと平行な方向の長さを、両パネルの間隔より小とし、かつ前記パネルと直交する方向のスペーサ部の長さを、両パネルの間隔とほぼ同一とすることにより、前記間隔保持部材を、長手方向をパネルと同方向に向けて、両パネル間に嵌合し、次いで、垂直軸線回りにほぼ９０度回転させて、両フックを両パネルの長孔の左右の縁に係合可能とする。
【００１１】
（５）上記(１)〜(４)項のいずれかにおいて、左右の支柱の前後に、複数のパネルを上下多段状に架設し、下段の前後のパネルの上部における左右方向の適所間に、間隔保持部材を架設し、かつ前記間隔保持部材におけるスペーサ部に、下段の前後のパネルより上方に突出する上部が、下段の前後のパネルの上方に配設した上段の前後のパネル間に嵌合するようにした補助部材を跨嵌する。
【００１２】
（６）上記(５)項において、補助部材を、水平片の前後の端部に垂下片を設けた側面視下向きコ字状とし、かつ前記両垂下片の下端中央部に、間隔保持部材が嵌合するようにした切欠きを設け、両垂下片が、下段の前後のパネルの背面と、上段の前後のパネルの背面とに当接するようにする。
【００１３】
（７）上記(５)または(６)項において、上段の前後のパネルの下端に、下段の前後のパネルの上端部背面に係合する下向き突片を設ける。
【発明の効果】
【００１４】
本発明によると、次のような効果を奏することができる。
上記(１)項記載の発明によると、最も湾曲または変形しやすいパネルの適所、例えば中間部に、間隔保持部材を取付けるだけで、両パネルの中間部の内方への移動が、間隔保持部材のスペーサ部により阻止され、また同じく、中間部の外方への移動が、間隔保持部材の拡幅阻止部により阻止されるので、両パネルの湾曲や反りを防止することができるとともに、両パネルの支柱からの脱落を防止することができる。
したがって、従来の間仕切装置における中間連結材や下部連結材を省略することができ、間仕切装置全体の構造を簡素化することができる。
【００１５】
上記(２)項記載の発明によると、スペーサ部を、上方または下方に開口する側面視上向きまたは下向きコ字状としてあるので、スペーサ部を、例えば、金属板等をプレス加工するだけで、簡単かつ安価に製造することができる。
【００１６】
上記(３)項記載の発明によると、拡幅阻止部を、スペーサ部の前後の端部に連設したフックとしてあるので、拡幅阻止部を、例えば、金属板等をプレス加工するだけで、簡単かつ安価に製造することができる。
【００１７】
上記(４)項記載の発明によると、間隔保持部材を、両パネル間に挿入して、ほぼ９０度回転させるだけで、両パネルに、簡単かつ迅速に取付けることができる。
【００１８】
上記(５)項記載の発明によると、間隔保持部材に補助部材を跨嵌するだけで、補助部材の上部を、上段の前後のパネルのためのスペーサ部として用いることができる。
【００１９】
上記(６)項記載の発明によると、補助部材の構造を簡素化でき、例えば、金属板等をプレス加工するだけで、簡単かつ安価に製造することができる。
また、補助部材の両垂下片が、下段の前後のパネルの背面と、上段の前後のパネルの背面とに当接するようにしてあるので、上下のパネルの突き合わせ部分に段差が生じるのを防止することができる。
【００２０】
上記(７)項記載の発明によると、上段のパネルの下端が、下段のパネルの上端より前後方向の外側に移動するのが阻止され、また、下段のパネルは、間隔保持部材により、前後方向の外側に移動するのが阻止されているので、上下のパネルの突き合わせ部分に段差が生じるのを防止することができる。
【発明を実施するための最良の形態】
【００２１】
図１は、本発明の間仕切装置の一実施形態の一部を示す斜視図である。
この間仕切装置は、左右１対の支柱１、１の前後面に、複数のパネル２を上下多段状に架設したものよりなっている。図１には、前後１対のパネル２、２の上部のみを示してあるが、図５(ｃ)には、上下のパネル２、２の対向端部の断面形状を示してある。
【００２２】
各支柱１は、鋼管等の角管により形成されている。
各パネル２は、所要の縦横寸法に形成された方形の薄鋼板からなる化粧板３の裏面に、石膏ボード等の断熱性、遮音性に富む所要厚さの芯材４を固着したものにより形成されている。
【００２３】
各化粧板３の左右両側縁および上縁には、裏面側にコ字状に折返すことにより、折返し部３ａが形成され、支柱１に当接する両側部の折返し部３ａの背面には、上下方向を向くスリット状の複数の係止孔５が、上下方向に適宜の間隔をもって穿設されており、図２に拡大して示すように、支柱１の側面にスポット溶接またはねじ止等により固着されたブラケット６の前後に突設した上向きのフック６ａに、各係止孔５を係止することによって、各パネル２は、左右の支柱１、１に架設されている。
【００２４】
図５(ｃ)に示すように、各化粧板３の下縁には、裏面側にクランク状に折曲することにより、下端後部に下向き突片３ｂを備える折曲部３ｃが形成されている。
この下向き突片３ｂを、下段のパネル２の上端における折返し部３ａの背面に係合させることにより、上段のパネル２の下端部は、下段のパネル２の上端より前後方向の外側に移動するのが阻止される。
【００２５】
芯材４は、左右両側縁と上縁との折返し部３ａと、下縁の折曲部３ｃとにより囲まれた化粧板３の裏面に固着されている。
【００２６】
化粧板３の上縁の折返し部３ａの背面における左右方向の中間部には、左右方向に長い複数の長孔７が、左右方向に適宜の間隔をもって形成され、この長孔７には、前後に対向するパネル２、２の間隔Ｗを一定に保持するための間隔保持部材８が装着され、また、この間隔保持部材８上には、補助部材９が跨嵌されている。
【００２７】
間隔保持部材８は、やや厚手の金属プレス成形体から構成されるものであり、図３に拡大して示すように、パネル間隔Ｗより僅かに小さな幅寸法であって、上方に向かって開口する側面視上向きコ字状をなし、両パネル２、２の内方への移動を阻止するスペーサ部８ａと、このスペーサ部８ａの前後の端部に連設されるとともに、平面視において互いに左右の逆方向を向くフック状をなし、両パネル２、２のほぼ前後に対向する長孔７、７の互いに異なる左右の縁に係合することにより、両パネル２、２の前後方向の外向きの移動を阻止するようにした拡幅阻止部８ｂ、８ｂとを備えている。
【００２８】
図４に実線で示すように、間隔保持部材８を前後のパネル２、２に架設したときのスペーサ部８ａにおけるパネル２、２と平行な方向の長さは、両パネル２、２の間隔Ｗより小とし、かつパネル２、２と直交する方向のスペーサ部８ａの長さは、両パネル２、２の間隔Ｗとほぼ同一か、または若干小としてある。
【００２９】
なお、間隔保持部材８が、図４に実線で示すように、両パネル２、２と直交する前後方向を向いたとき、前後の拡幅阻止部８ｂ、８ｂが、両パネル２、２の長孔７、７の左右の逆の縁に係合するように、前後のパネル２、２における対向する長孔７、７の左右方向の位置を若干ずらせておくのが好ましい。
【００３０】
補助部材９は、間隔保持部材８と同様に、やや厚手の金属プレス成形体から構成され、図３に拡大して示すように、水平片９ａの前後の端部に垂下片９ｂ、９ｂを設けた側面視下向きコ字状をなし、両垂下片９ｂ、９ｂの下端中央部に、間隔保持部材８におけるフック状の拡幅阻止部８ｂ、８ｂの基部(またはスペーサ部８ａの両側部)が嵌合するようにした切欠き１０を設けたものよりなっている。
両垂下片９ｂ、９ｂの下端部には、必要に応じて、補強のための内向き折曲片９ｃ、９ｃを設けるのがよい。
【００３１】
次に、間隔保持部材８および補助部材９の取付手順について、図４および図５を参照して説明する。
【００３２】
左右１対の支柱１、１の前後面に、前後１対のパネル２、２を架設した後、前後のパネル２、２間に、間隔保持部材８を、図４に２点鎖線で示すように、その長軸がパネル２、２と同方向を向くようにして嵌合し、次いで、垂直軸線回りにほぼ９０度回転させて、両拡幅阻止部８ｂ、８ｂを、両パネル２、２の長孔７、７の左右の逆の縁に係合させる。
【００３３】
スペーサ部８ａの平面視における対角線が、両パネル２、２と直交する方向を向くとき、スペーサ部８ａの横幅が最大となり、これが、両パネル２、２の間隔Ｗより大となることがあるが、その場合は、両パネル２、２の中間部を、一時的に外向きに弾性撓曲させて、上記対角線の部分を通過させればよい。
【００３４】
間隔保持部材８が両パネル２、２に架設されることにより、前後のパネル２、２は、最も湾曲または変形しやすい中間部の内方への移動が、間隔保持部材８のスペーサ部８ａにより阻止され、また同じく、中間部の前後方向の外方への移動が、間隔保持部材８の拡幅阻止部８ｂ、８ｂにより阻止されるので、両パネル２、２の湾曲や反りが防止されるとともに、支柱１、１からの脱落も防止される。
したがって、従来の間仕切装置における中間連結材や下部連結材を省略することができ、間仕切装置全体の構造を簡素化することができる。
【００３５】
また、間隔保持部材８を、金属板等をプレス加工するだけで、簡単かつ安価に製造することができるとともに、間隔保持部材８を、両パネル２、２間に挿入して、ほぼ９０度回転させるだけで、両パネル２、２に、簡単かつ迅速に取付けることができる。
【００３６】
さらに、上記と逆の操作を行うことにより、すなわち、間隔保持部材８を、上記と逆の方向に９０度回転させた後、両パネル２、２間から上方に取り出すことにより、間隔保持部材８を、両パネル２、２間から、簡単に取外すことができる。
【００３７】
次に、図５(ａ)に示すように、前後のパネル２、２間に架設された間隔保持部材８の上方より、補助部材９を、その切欠き１０に間隔保持部材８におけるフック状の拡幅阻止部８ｂ、８ｂの基部が嵌合するようにして跨嵌する。
【００３８】
このとき、図５(ｂ)に示すように、補助部材９の上部は、両パネル２、２の上端より上方に突出する。また、補助部材９における両垂下片９ｂ、９ｂの下部外側面は、前後のパネル２、２の背面に当接するようにしておくのが望ましい。
【００３９】
次に、図５(ｃ)に示すように、前後のパネル２、２上に、上段のパネル２、２を、その下向き突片３ｂが下段のパネル２の上端における折返し部３ａの背面に係合するとともに、各パネル２の背面が、補助部材９における両垂下片９ｂ、９ｂの上部外周面に当接し、また、各パネル２の両側部の背面に設けた係止孔５の上縁が、ブラケット６のフック６ａに係止されるようにして架設する。
【００４０】
したがって、上段の各パネル２の下端部は、その背面が補助部材９における両垂下片９ｂ、９ｂの上部外周面に当接していることにより、前後方向の内方への移動が阻止され、また、下向き突片３ｂが、下段のパネル２の上端における折返し部３ａの背面に係合していることにより、下段のパネル２の上端より前後方向の外側への移動が阻止され、上下のパネル２、２の突き合わせ部分に段差が生じるのを防止することができる。
【００４１】
本発明は、上記実施形態のみに限定されるものではなく、特許請求の範囲を逸脱することなく、例えば、次のような幾多の変形した態様での実施が可能である。
【００４２】
(ａ)  図１においては、間隔保持部材８と補助部材９とをそれぞれ１個ずつ示してあるが、支柱１、１の前後面に、１対のパネル２、２のみを装着する場合や、最上段のパネル２、２の上端部に装着する場合は、補助部材９を省略して、間隔保持部材８のみを装着する。
また、間隔保持部材８と補助部材９とは、状況に応じて、図１に示す前後のパネル２、２に設けられた３個の長孔７のうち、中央の１個のみに装着したり、両側の２個に装着したり、または３個全部に装着したりすることができる。
【００４３】
(ｂ)  図示の例では、間隔保持部材８のスペーサ部８ａを、上方に開口する側面視上向コ字状としてあるが、これを、下方に開口する側面視下向きコ字状とする。この場合、そのスペーサ部８ａの上部を、下段のパネル２、２の上方に突出させて、上段のパネル２、２間に嵌合し、上段のパネル２、２の内方への移動を阻止するスペーサとしても兼用することができる。
【図面の簡単な説明】
【００４４】
【図１】本発明の間仕切装置の一実施形態の一部を示す斜視図である。
【図２】図１のＡ部拡大斜視図である。
【図３】図１のＢ部拡大斜視図である。
【図４】間隔保持部材の取付部分を示す一部切欠き平面図である。
【図５】（ａ）〜（ｂ）は補助部材の取付と上部側パネルの取付関係を示す部分縦断側面図である。
【符号の説明】
【００４５】
１  支柱
２  パネル
３  化粧板
３ａ折返し部
３ｂ下向き突片
３ｃ折曲部
４  芯材
５  係止孔
６  ブラケット
６ａフック
７  長孔
８  間隔保持部材
８ａスペーサ部
８ｂ拡幅阻止部
９  補助部材
９ａ水平片
９ｂ垂下片
９ｃ内向き折曲片
１０切欠き
Ｗ  間隔
【図１】
0005117124.tif 000002
【図２】
0005117124.tif 000003
【図３】
0005117124.tif 000004
【図４】
0005117124.tif 000005
【図５】
0005117124.tif 000006